(57)【要約】 【課題】  フィルム蓋体を有する陽圧缶の開封時にガス放出速度及びガス放出状態を良好に調整して、内容物を巻き込んだガスの吹き出しを防ぐことができ、また、開封時の切刃の動作を安定させて、フィルム蓋体の切断動作を良好にし、切断後のフィルム蓋体の容器内への落ち込みを防止することができ、しかも切断後の開口エッジも形良く、整形にすることができ、その結果、簡便かつ安全に開口できるフィルム缶蓋の開封具を提供する【解決手段】  少なくとも一部分が膜体で構成されている缶蓋を缶胴３に取り付けていて内部が大気圧よりも高圧である缶２における缶蓋の膜体を切り裂き開封する開封具であって、缶蓋に対して回転可能なカッター台座３１とカッター台座３１から回転の回転中心方向に突出している切刃３２とを有し、切刃３２は回転中心回りの円周上に３個以上配置されており、隣り合う切刃３２の間隔が３ｍｍ以上である【選択図】  図１
2006027732.tif 000002
【特許請求の範囲】
【請求項１】
少なくとも一部分が膜体で構成されている缶蓋を缶胴に取り付けていて内部が大気圧よりも高圧である缶における前記缶蓋の前記膜体を切り裂き開封する開封具であって、前記缶蓋に対して回転可能なカッター台座と前記カッター台座から前記回転の回転中心方向に突出している切刃とを有し、前記切刃は前記回転中心回りの円周上に３個以上配置されており、隣り合う前記切刃の間隔が３ｍｍ以上であることを特徴とするフィルム缶蓋の開封具。
【請求項２】
少なくとも一部分が膜体で構成されている缶蓋を缶胴に取り付けていて内部が大気圧よりも高圧である缶における前記缶蓋の前記膜体を切り裂き開封する開封具であって、前記缶蓋に対して回転可能なカッター台座と前記カッター台座から前記回転の回転中心方向に突出している切刃とを有し、前記切刃の少なくとも一枚はガスの流通が可能なガスベント溝が設けられており、該ガスベント溝の幅と深さの少なくとも一方が２ｍｍ以下であることを特徴とするフィルム缶蓋の開封具。
【請求項３】
少なくとも一部分が膜体で構成されている缶蓋を缶胴に取り付けていて内部が大気圧よりも高圧である缶における前記缶蓋の前記膜体を切り裂き開封する開封具であって、前記缶蓋に対して回転可能なカッター台座と前記カッター台座から前記回転の回転中心方向に突出している切刃とを有し、前記缶蓋は中央部寄りに円形の開口部を有し外周縁部に巻き締め部を有するめがね蓋と前記めがね蓋の前記開口部を閉じる前記膜体を有する缶蓋であって、前記カッター台座の外周面に前記開口部の径よりも大きい径の円周上に複数のリブを形成してあることを特徴とする請求項１記載のフィルム缶蓋の開封具。
【請求項４】
少なくとも一部分が膜体で構成されている缶蓋を缶胴に取り付けていて内部が大気圧よりも高圧である缶における前記缶蓋の前記膜体を切り裂き開封する開封具であって、前記缶蓋に対して回転可能なカッター台座と前記カッター台座から前記回転の回転中心方向に突出している切刃とを有し、前記切刃は前記回転中心回りの円周上に３個以上配置されており、隣り合う前記切刃の間隔が３ｍｍ以上であり、前記切刃の少なくとも一枚はガスの流通が可能なガスベント溝が設けられており、該ガスベント溝の幅と深さの少なくとも一方が２ｍｍ以下であり、前記缶蓋は中央部寄りに円形の開口部を有し外周縁部に巻き締め部を有するめがね蓋と前記めがね蓋の前記開口部を閉じる前記膜体を有する缶蓋であって、前記カッター台座の外周面に前記開口部の径よりも大きい径の円周上に複数のリブを形成してあることを特徴とするフィルム缶蓋の開封具。
【請求項５】
少なくとも一部の隣り合う切刃の間隔が他の隣り合う切刃の間隔と異なることを特徴とする請求項１または４記載のフィルム缶蓋の開封具。
【請求項６】
前記開封具はカバーフレームと前記カバーフレームに取り外し可能に支持されているカッター部材とを有し、前記カバーフレームは前記缶蓋を覆って前記缶に装着可能であり、前記カッター部材は前記缶蓋に対して回転可能な前記カッター台座と前記カッター台座から前記回転の回転中心の方向の下方に突出している切刃とを有し、前記カバーフレームは前記切刃が上向きの状態で前記カッター台座を内包支持可能であることを特徴とする請求項１〜５のいずれかに記載のフィルム缶蓋の開封具。
【請求項７】
前記カバーフレームには円筒体または円柱体からなる支持体が設けられ、前記カッター台座は円環状をなしていて、前記カッター台座が前記支持体の外側に嵌合して前記カバーフレームに内包支持されることを特徴とする請求項６記載のフィルム缶蓋の開封具。
【請求項８】
前記切刃先端を丸めたことを特徴とする請求項１〜７のいずれかに記載のフィルム缶蓋の開封具。
【発明の詳細な説明】
【技術分野】
【０００１】
この発明はフィルム製の缶蓋を持つ陽圧缶を簡易に開封するための開封具に関するものである。
【背景技術】
【０００２】
飲食物等の内容物を充填し保存する容器として缶が使用されている。これらの缶は内容物を収容する缶胴とその缶胴の上端開口部を閉じる蓋体とからなっていて、蓋体はその外周縁部で缶胴の上端に巻き締め固定されている。
【０００３】
蓋体は缶胴と同様に金属板製であることが多いが、蓋体の一部分に金属箔やプラスチックのラミネートフィルムを使用する場合がある。
【０００４】
本件特許出願の出願人は先にフィルム蓋体を提案した（特願２００２−３３２５６９号）。この提案されたフィルム蓋体は、中央部寄りに開口部を有し外周縁部に巻き締め部を有するめがね蓋とそのめがね蓋の中央開口部を気密に閉じるラミネートフィルム製の膜蓋とから成るものである。
【０００５】
缶を開封する場合には缶切り等の刃物で缶蓋を切り裂いて開口させるのであるが、この切り裂きの対象であるラミネートフィルムは柔軟で剛性が小さく、かつ可撓性があるので予定された開口形状に切り裂くのが必ずしも容易ではない。
【０００６】
缶の内部圧力は内容物の種類に応じて陽圧、陰圧または無圧の状態になっており、例えば、内容物がコーヒーの場合は、コーヒー粉から炭酸ガスが発生するためドライアイス等を充填して缶を炭酸ガスで充満させて陽圧化したり、また、他の内容物の場合は、ヘッドスペース内の酸素が内容物に吸収されて内圧が陰圧となる場合があるが、ラミネートフィルムに刃物を当てて切り始めた瞬間に内圧により内容物のコーヒーの粉末の一部が噴出して顔面に吹きかかったり、周囲に散乱するという問題があり、また、缶内が外気圧より低い商品の場合も、急速に外気が流入し、内容物の特に粉末が吹き飛ばされて衣服等を汚損する恐れがある。さらに、円筒状のカッターを用いて開封を行った場合、膜蓋を構成するフィルムが一度に全部切れ落ち、陽圧の場合にはフィルムの突出、陰圧の場合はカッターが手ごと缶内に入り込み、安全、衛生上好ましくない。
この傾向は缶蓋が予定された整った開口形状に切り裂くことができない場合に強まることになる。
【０００７】
【特許文献１】実開昭５７−１１７２５号
【特許文献２】実開平１−９６８３２号
【特許文献３】実開昭６１−１４９５７６号
【特許文献４】特開２００２−３３７８９５号
【特許文献５】特開昭５２−１４８３８９号
【特許文献６】特開２００１−１０６２４８号
【特許文献７】特開２００３−２６２１９号
【特許文献８】特開平７−３３０００９号
【発明の開示】
【発明が解決しようとする課題】
【０００８】
容器の注出口を閉じている金属箔やプラスチックのラミネートフィルムを切断して開封する技術の例としては、上記の特許文献に示すものがある。特許文献１の技術は容器のプラスチック被覆アルミシート製蓋体に刃筒２６を突き立てて切り裂き開封するものであり、特許文献２の技術は容器本体の上端面上を閉じるフィルム９を操作体１４の刃１７で切り裂いて開封するものであり、特許文献３の技術はストローを差し込んで内容液を吸引するにつれて、容器内が減圧になるのを防ぐために、容器内外圧力平衡用容器通路を形成するための突出部７を開封用ストローの外面に設けたものであり、特許文献４の技術は、バッグインボックスの内容物取出口２０をカッターで開封するものであり、特許文献５の技術はフィルム製の蓋体３の注出口を形成しようとする部分にキャップを接着剤で接着しておき、開封時にキャップを回して蓋体をねじ切り開封するものであり、特許文献６の技術は密封パッケージを開口装置２のカッター５５を差し込んで開封するものであり、特許文献７の技術は密封パッケージを開口装置２の管状切断部材８を差し込んで開封するものであり、特許文献８はボトルの口部を閉じているアルミ箔３４をキャップの刃先２８で切断して開封するものである。
【０００９】
しかるに、これらの切断開封の技術は容器内部が常圧のものについてのものであるので、これらは容器内部が加圧されている陽圧缶の開封には適用することができない。
【００１０】
一方、この特許出願の出願人は先に陽圧缶の開封具を出願した（特願２００４−３９８０４）。この出願で提案された開封具は、フィルム蓋体をもつ陽圧缶の上端部を覆うカバーキャップの内側に切刃を出没可能に取り付け、開封時には切刃を露出させてカバーキャップごとフィルム蓋体に押し付け、切刃をフィルム蓋体に刺し込んだ状態でカバーキャップをフィルム蓋体の中心の回りに回転させ、フィルム蓋体を切断して開封するものであって、陽圧によるフィルムの張りを利用して切刃の突き立て、刺し込みを容易にし、フィルム蓋体の周縁部を形良く切断して開封することができる。
【００１１】
しかし缶内の陽圧が一層高い場合には、開封時の缶内の陽圧を解放する速度とガス放出状態を調整することが、十分に行われずに、内容物が放出ガスに巻き込まれて放散することも考えられる。
【００１２】
この発明は上記の如き事情に鑑みてなされたものであって、フィルム蓋体を有する陽圧缶の開封時にガス放出速度及びガス放出状態を良好に調整して、内容物を巻き込んだガスの吹き出しを防ぐことができ、また、開封時の切刃の動作を安定させて、フィルム蓋体の切断動作を良好にし、切断後のフィルム蓋体の容器内への落ち込みを防止することができ、しかも切断後の開口エッジも形良く、整形にすることができ、その結果、簡便かつ安全に開口できるフィルム缶蓋の開封具を提供することを目的とするものである。
【課題を解決するための手段】
【００１３】
この目的に対応して、この発明のフィルム缶蓋の開封具は、少なくとも一部分が膜体で構成されている缶蓋を缶胴に取り付けていて内部が大気圧よりも高圧である缶における前記缶蓋の前記膜体を切り裂き開封する開封具であって、前記缶蓋に対して回転可能なカッター台座と前記カッター台座から前記回転の回転中心方向に突出している切刃とを有し、前記切刃は前記回転中心回りの円周上に３個以上配置されており、隣り合う前記切刃の間隔が３ｍｍ以上であることを特徴としている。
【発明の効果】
【００１４】
この発明の開封具では、切刃を露出させてフィルム缶蓋に突き立てることができるので、フィルム缶蓋の切り裂き開封が容易である。
【００１５】
カッター台座はカバーフレーム内に内蔵して取り付けることができるので、缶に付属させることが容易である。
【００１６】
カッター部材の切刃はカッター台座に３個以上配置されているので、フィルム缶蓋を開封するときに、カッター部材をフィルム缶蓋に安定して位置決めすることができ、開封動作を安定して行うことができる。
【００１７】
その切刃は隣りの切刃との間に３ｍｍ以上の間隔を置いて配置されているので、フィルム缶蓋に始めに切刃を突き立てるときに、フィルムが部分的に切れ残り、その部分が支えとなってフィルム缶蓋を一度に過剰に切り裂くことがなく、缶からのガスの急激な放出を抑制することができる。
【００１８】
次にカッター部材の切刃のカッター台座上の取り付けを、等間隔にするのではなく、少なくとも一部の切刃については不等間隔に配置することにより、カッター部材を回転させてフィルム蓋体を切断したときに、周縁部の全周が一度に同時に切断するのではなく、周縁部の一部分が切り残ってなお缶蓋に連結していることにより、切断後のフィルム缶蓋が缶内に落下するのを防ぐことができる。
一部の切刃について不等間隔に配置するためには、複数の切刃のうちの１個の切刃だけを一方に寄せて配置して、その前後の間隔を不等感覚とし、他の残りの感覚を等間隔としたり、或いは複数の切刃の間の間隔のうちの１個の間隔を残余の間隔に対して不等間隔とする。
【００１９】
切刃にガスの流通が可能なガスベント溝を設けたときは、切刃をフィルム缶蓋に突き立てた時に、ガスベント溝がフィルム缶蓋の内外を連通させ、制御されたガス放出を実現する。
【００２０】
次にカッター台座の外周面にフィルム蓋体が張り出すめがね蓋の内周縁にかかる外リブを設けることにより、このリブとめがね蓋の内周縁とが干渉し、カッターが勢いでフィルム蓋体全周を突き破ったり、開封動作時にカッター部材が缶内に落下するのを防ぐことができる。
【００２１】
さらにカバーフレームに円柱状支持体を設けて、これにカッター部材を外嵌する支持構
造を採用することにより、カッター部材の収納、取り出しが容易になる。
またさらに、切刃先端を丸めることにより、怪我を防いで安全性を高められる。切刃先端を丸めた場合には、フィルム缶蓋を開封する場合に、そのフィルム缶蓋の表面を切刃先端でなぞって、引き切りの状態にすることが容易である。
【発明を実施するための最良の形態】
【００２２】
以下、この発明の詳細を一実施態様を示す図面について説明する。
図１において１は開封具であり、缶２に装着された状態が示されている。
【００２３】
缶２は図１７、図１８に示すように、缶胴３の上端にフィルム缶蓋４を巻締部５において巻き締め固着したものである。フィルム缶蓋４は外側部分のめがね蓋６と中央部分の膜蓋７とからなっている。
【００２４】
めがね蓋６はフィルム缶蓋４の中心線９を共通の中心とする環状の金属板製で、内周縁部に巻締カール部８を有し、中央部に開口１１を有する。膜蓋７はめがね蓋６の内面に巻締カール部で巻き締められ、または接着シールされて、めがね蓋６の開口１１を閉じている。
【００２５】
このフィルム缶蓋４の膜蓋７がこの発明の開封具１による切り裂き開封の対象である。
図１、図２及び図５に示すように、開封具１はカバーフレーム２１とカッター部材２２とからなっている。カッター部材２２はカバーフレーム２１に取り外し可能に支持されている。
【００２６】
カバーフレーム２１は前述のように、フィルム缶蓋４の巻締部５に摺動可能に嵌合して巻締部５に沿って摺動可能である。カバーフレーム２１は特に図２に示すように、フィルム缶蓋４を覆うことができる大きさの、天板２４とこの天板２４から立ち下がっている短筒状の胴部２５とを有し、胴部２５の下端には取付脚２６が設けられている。取付脚２６は内面に凸状のアンダーカット２７とその上隣りに溝２８とを間欠的に形成していて、この溝２８に巻締部５を納めた状態で缶胴３に回動可能に嵌合し、アンダーカット２７によって抜け出しを抑制している。この構造によって、カバーフレーム２１は缶胴３と同心状に巻締部５に沿って中心線９回りに回動可能である。
【００２７】
このカバーフレーム２１の天板２４と胴部２５と取付脚２６とからなる構成をもつものとしては、従来から他の形式の缶においても、缶蓋を覆うために使用されるカバーキャップを使用することができる。
【００２８】
天板２４の中央部の裏面からは中心線９を中心線とする円筒状の支持体２９が延出している。この支持体２９は後述するカッター部材２２を嵌合させてカバーフレーム２１内に取り外し可能に保持させるものである。支持体２９の下端部近傍には外面に嵌合用の溝３０を一周させて形成している。
【００２９】
カッター部材２２は図１、図３及び図５に示すように、カッター台座３１と切刃３２を有する。
【００３０】
カッター台座３１は短円筒状の胴部３３とこの胴部３３の下端から半径方向の内側に張り出している環状の切刃台座３４と胴部３３の上端から半径方向の外側に張り出している環状のフランジ３５とを備えている。
【００３１】
フランジ３５の外周輪郭は円形ではなくて、小径部３６と大径部３７とが交互に出入りした形状をなしており、半径方向の外方に張り出している大径部３７が、カッター台座３１を手指で掴む時の指掛け３８を構成している。
【００３２】
胴部３３の外周面には複数の外リブ４１が突出している。
【００３３】
外リブ４１はめがね蓋６の内周縁にかかる外径寸法を有し、この外リブ４１とめがね蓋６の内周縁が干渉し、開封動作時に切刃３２の最大切り込み深さを規定し、かつカッター部材２２が缶内に落下するのを防ぐことができる。
【００３４】
カッター台座３１の切刃台座３４の下面から中心線９を中心とする円上に少なくとも３枚の複数の切刃３２が突出して形成されている。切刃３２の形状は図６ａに示す三角刃若しくは図６ｂに示す四角刃、若しくは図６（ｃ），（ｄ）に示すように切刃先端を丸めた形状である。切刃３２の幅は５ｍｍ〜２０ｍｍ、好ましくは１０ｍｍ〜１８ｍｍ、最良は１６ｍｍである。切刃先端の丸みはＲ＝１〜８ｍｍ、好ましくはＲ＝４ｍｍである。さらに図６（ｃ），（ｄ）に示す切刃の先端を丸めた切刃３２の概形は図６（ａ），（ｂ）に示す四角形または三角形であるが、両隣りの２辺４５、４６の間に形成されて開封時にフィルム缶蓋４に向かう切刃先端の角度、つまり２辺４５、４６の挟角である切刃先端の開き角θは好ましくは４５°〜１３５°、より好ましくは７５°〜１０５°が好適である。図６（ｃ），（ｄ）には図６（ａ）の三角刃について切刃先端を丸めた例を図示しているが、図６（ｂ）の四角刃についても同様に先端を丸めても良い。切刃の配置については図７から図１０、特に図９に示すように、隣り合う切刃３２の間隔ｄは３ｍｍ以上で、好ましくは３．５ｍｍ以上で、かつその間隔ｄは複数の切刃３２のすべてについて同じではなく、少なくとも一部の隣り合う切刃３２の間隔ｄ２，ｄ３が他の隣り合う切刃３２の間隔ｄ１（ｄ１≠ｄ２≠ｄ３）と異なっている。図９（ａ）に示すカッター部材２２では大部分の隣り合う切刃３２の間の間隔ｄ１は等間隔であるが、１個の切刃３２′だけを一方に寄せて配置した結果、切刃３２′の前後の間隔ｄ２及びｄ３だけが間隔ｄ１と大きさが相違している。図９（ｂ）に示すカッター部材２２では切刃３２の間の１つの間隔がｄ２で、残りの間隔はすべて等間隔のｄ１になっている。このカッター部材２２は切刃３２が上向きの状態及び下向きの状態でカバーフレーム２１内に内包可能である。この内包の場合は図１に示すように、カッター台座３１が胴部３３の内周面でカバーフレーム２１の支持体２９の外周面に図５、図１１に示すアンダーカット４３、４４を利用して嵌合する。
【００３５】
切刃３２には図１２、図１３に示すようにガスの流通が可能な一本または複数本のガスベント溝４２が設けられている。
【００３６】
ガスベント溝４２は切刃３２の表面に中心線９の方向に沿って形成された溝で、切刃３２をフィルム缶蓋４に突き立てた時に、ガスベント溝４２がフィルム缶蓋４の内外を連通させ、制御されたガス放出を実現する。ガスベント溝４２の深さと幅は少なくとも一方が２ｍｍ以下である。
【００３７】
ガスベント溝４２の横断面形状としては図１４に示すように四角形または図１５に示すように半円形、さらにはその他の横断面形状にすることができる。
【００３８】
このように構成された開封具１は流通段階ではカバーフレーム２１内に切刃３２を上にした姿勢のカッター部材２２が嵌合して内包されており、この状態でカバーフレーム２１がフィルム缶蓋４を覆って缶２に装着される。
【００３９】
次にフィルム缶蓋４を開封する場合にはカッター部材２２をカバーフレーム２１から外して取り出し、切刃３２を下にしてフィルム缶蓋４の上に載せる。
【００４０】
この状態では切刃３２の刃先がめがね蓋の内周との境で膜蓋７の外周縁に当接している。この状態からカッター台座３１を上から押し下げると、切刃３２が下降して膜蓋７を突き破り、切刃３２の表面に形成したガスベント溝４２が膜蓋７の内外を連通させることになり、缶２内のガスは制御された速度で外部に放出され、缶２内は常圧になる。切刃３２が下降限界に達したことはカッター部材２２の外リブ４１がめがね蓋６の内縁に当接したことで感得することができ、さらにそれ以上カッターは進まないので勢いによりフィルム蓋体の全周を切り落とすことはない。
【００４１】
次いでフランジ３５の指掛け３８に手指を掛けてカッター部材２２をめがね蓋６の内縁に沿って中心線９の回りに取付間隔ｄだけ回すと、切刃３２が膜蓋７を切断する。ただし取付間隔ｄは少なくとも一部のものが他のものと不等であるので、膜蓋７にも切り残し部分が生じ、この部分がめがね蓋６との連結部分となって切断された膜蓋７が缶２内に落下するのを防ぐ。最後にカッター部材２２を取り除いて連結部分を手指で引き切れば、フィルム缶蓋４の開封動作は完了し粉体内容物を取り出すことができる。
【００４２】
なお、カッターを回転させる際、内リブ４５によりカッター胴部３３は補強されているので円形を保ち、回転させやすくなっている。
【００４３】
このようにしてこの発明の開封具１では切刃を露出させてフィルム缶蓋に突き立てることができるので、フィルム缶蓋の切り裂き開封が容易である。
【００４４】
カッター台座はカバーフレーム内に内蔵して取り付けることができるので、缶に付属させることが容易である。
【００４５】
カッター部材の切刃はカッター台座に３個以上配置されているので、フィルム缶蓋を開封するときに、カッター部材をフィルム缶蓋に安定して位置決めすることができ、開封動作を安定して行うことができる。
【００４６】
その切刃は隣りの切刃との間に３ｍｍ以上の間隔を置いて配置されているので、フィルム缶蓋に始めに切刃を突き立てるときに、フィルム缶蓋を一度に過剰に切り裂くことがなく、缶からのガスの急激な放出を抑制することができる。
【００４７】
次にカッター部材の切刃のカッター台座上の取り付けを、等間隔にするのでなく、少なくとも一部の切刃については不等間隔に配置することにより、カッター部材を回転させてフィルム蓋体を切断したことに、周縁部の全周が一度に同時に切断するのではなく、周縁部の一部分が切り残ってなお缶蓋に連結していることにより、切断後のフィルム缶蓋が缶内に落下するのを防ぐことができる。
一部の切刃について不等間隔に配置するためには、複数の切刃のうちの１個の切刃だけを一方に寄せて配置して、その前後の間隔を不等感覚とし、他の残りの感覚を等間隔としたり、或いは複数の切刃の間の間隔のうちの１個の間隔を残余の間隔に対して不等間隔とする。
【００４８】
切刃にガスの流通が可能なガスベント溝を設けたときは、切刃をフィルム缶蓋に突き立てた時に、ガスベント溝がフィルム缶蓋の内外を連通させ、制御されたガス放出を実現する。
【００４９】
次にカッター台座の外周面にフィルム蓋体が張り出すめがね蓋の内周縁にかかるリブを設けることにより、このリブとめがね蓋の内周縁とが干渉し、開封動作時にカッター部材が缶内に落下するのを防ぐことができる。
【００５０】
さらにカバーフレームに円柱状支持体を設けて、これにカッター部材を外嵌する支持構造を採用することにより、カッター部材の収納、取り出しが容易になる。
【００５１】
以上の説明から明らかな通り、この発明によればフィルム蓋体を有する陽圧缶の開封時にガス放出整度及びガス放出状態を良好に調整して、内容物の巻き込み、吹き出しを防ぐことができ、また、開封時の切刃の動作を安定させて、フィルム蓋体の切断動作を良好にし、切断後のフィルム蓋体の容器内への落ち込みを防止することができ、しかも切断後の開口エッジも形良く、整形にすることができるフィルム缶蓋の開封具を得ることができる。
【図面の簡単な説明】
【００５２】
【図１】開封具を缶に装着した状態を示す縦断面図。
【図２】カバーフレームを示す図で、（ａ）は正面図、（ｂ）は縦断面図、（ｃ）は底面図である。
【図３】カッター部材を示す図で、（ａ）は正面図、（ｂ）は縦断面図、（ｃ）は底面図である。
【図４】カバーフレームの拡大縦断面部分図。
【図５】カッター部材の拡大縦断面部分図。
【図６】切刃を示す正面図で、（ａ）は三角刃、（ｂ）は四角刃。（ｃ），（ｄ）は切刃先端を丸めた刃。
【図７】カッター台座の斜視説明図。
【図８】カッター台座の底面説明図。
【図９】他のカッター台座の底面説明図で、（ａ）は等間隔に配置された切刃のうちの１つの切刃をずらして、不等間隔の配置したもの、（ｂ）は切刃間の間隔のうちの１つの間隔を不等間隔として他の間隔を等間隔としたものを示す。
【図１０】他のカッター台座の底面説明図で、等間隔に配置した切刃のうちの１個の切刃を欠いて、切刃間の間隔を変えたものを示す。
【図１１】カバーフレームとカッター部材の嵌合状態を示す説明図。
【図１２】ガスベント溝を示す説明図。
【図１３】他のガスベント溝を示す説明図
【図１４】ガスベント溝の形状を示す説明図で、（ａ）は平面図、（ｂ）は正面図。
【図１５】他のガスベント溝の形状を示す図で、（ａ）は平面図、（ｂ）は正面図。
【図１６】カッター部材を缶に装着した状態を示す縦断面図。
【図１７】缶を示す縦断面図。
【図１８】缶を示す正面図。
【符号の説明】
【００５３】
１、１ｂ  開封具
２        缶
３        缶胴
４        フィルム缶蓋
５        巻締部
６        めがね蓋
７        膜蓋
８        巻締カール部
９        中心線
１１      開口
２１      カバーフレーム
２２      カッター部材
２４      天板
２５      胴部
２６      取付脚
２７      アンダーカット
２８      溝（嵌合用）
２９      支持体
３０      溝
３１      カッター台座
３２      切刃
３３      胴部
３４      切刃台座
３５      フランジ
３６      小径部
３７      大径部
３８      指掛け
４１      外リブ
４２      ガスベント溝
４３      アンダーカット
４４      アンダーカット
４５      切刃の辺
４６      切刃の辺
【図１】
2006027732.tif 000003
【図２】
2006027732.tif 000004
【図３】
2006027732.tif 000005
【図４】
2006027732.tif 000006
【図５】
2006027732.tif 000007
【図６】
2006027732.tif 000008
【図７】
2006027732.tif 000009
【図８】
2006027732.tif 000010
【図９】
2006027732.tif 000011
【図１０】
2006027732.tif 000012
【図１１】
2006027732.tif 000013
【図１２】
2006027732.tif 000014
【図１３】
2006027732.tif 000015
【図１４】
2006027732.tif 000016
【図１５】
2006027732.tif 000017
【図１６】
2006027732.tif 000018
【図１７】
2006027732.tif 000019
【図１８】
2006027732.tif 000020